(57)【要約】【課題】無線通信システムにおける通信可能範囲をコンピュータシミュレーションによって簡易的に評価するための方法及びコンピュータプログラムを提供する。【解決手段】無線通信式データ入力装置は、アクセスポイント装置との間で無線通信式のデータ通信を行うための無線通信部と、処理装置と、複数のキースイッチを含む入力部と、表示部とを備えている。処理装置がプログラムにしたがって実行する処理モードとして、アクセスポイント装置の無線通信機能のシミュレーションを行うアクセスポイント模擬モードを備え、このモードを実行中は、他の無線通信式データ入力装置からの認証要求及び接続要求に応答して当該他の無線通信式データ入力装置との間で無線通信式のデータ通信を実行するように構成されている。【選択図】図７
2005050232.tif 000002
【特許請求の範囲】
【請求項１】
アクセスポイント装置との間で無線通信式のデータ通信を行うための無線通信部と、処理装置と、複数のキースイッチを含む入力部と、表示部とを備えた無線通信式データ入力装置であって、
前記処理装置がプログラムにしたがって実行する処理モードとして、前記アクセスポイント装置の無線通信機能のシミュレーションを行うアクセスポイント模擬モードを備え、該アクセスポイント模擬モードを実行中は、他の無線通信式データ入力装置からの認証要求及び接続要求に応答して当該他の無線通信式データ入力装置との間で無線通信式のデータ通信を実行するように構成されていることを特徴とする無線通信式データ入力装置。
【請求項２】
前記入力部に含まれるキースイッチのうち、あらかじめ定めた１又は複数のキースイッチを押下しながら電源スイッチをオンにしたときに、前記処理装置が前記アクセスポイント模擬モードを実行するように構成されていることを特徴とする
請求項１記載の無線通信式データ入力装置。
【請求項３】
前記入力部に含まれるキースイッチのうち、あらかじめ定めた１又は複数のキースイッチを押下しながら電源スイッチをオンにしたときに、前記処理装置が前記アクセスポイント模擬モードを含むシステムメニューを前記表示部に表示し、ユーザが前記システムメニューから前記アクセスポイント模擬モードを選択したときに前記アクセスポイント模擬モードを実行するように構成されていることを特徴とする
請求項１記載の無線通信式データ入力装置。
【請求項４】
前記アクセスポイント模擬モードの初期画面において、実際のアクセスポイント装置で使用されるチャンネル番号を設定可能としたことを特徴とする
請求項１、２又は３記載の無線通信式データ入力装置。
【請求項５】
単に電源スイッチをオンにしたときに起動する通常モードにレスポンス測定機能が含まれ、該レスポンス測定機能の実行により、アクセスポイント装置又はアクセスポイント模擬モードを実行中の無線通信式データ入力装置との無線通信を実行し、その応答時間及びスループットを含む無線状況の測定結果を画面表示することを特徴とする
請求項１、２、３又は４記載の無線通信式データ入力装置。
【請求項６】
請求項１から５のいずれか１項記載のアクセスポイント模擬モードを備えた無線通信式データ入力装置を用いてアクセスポイント装置の設置場所のシミュレーションを行う方法であって、
実際のアクセスポイント装置を設置する予定の場所に、アクセスポイント模擬モードを実行中の無線通信式データ入力装置を置き、
通常モードでレスポンス測定機能を実行中の無線通信式データ入力装置と前記アクセスポイント模擬モードを実行中の無線通信式データ入力装置との無線通信による無線状況の測定を実行し、
前記レスポンス測定機能を実行中の無線通信式データ入力装置の表示画面で前記無線状況の測定結果をチェックすることを特徴とするアクセスポイント装置の設置場所シミュレーション方法。
【発明の詳細な説明】
【技術分野】
【０００１】
本発明は、無線通信式データ入力端末及びそれを用いたアクセスポイント装置の設置場所シミュレーション方法に関する。
【背景技術】
【０００２】
この種の無線通信式データ入力端末として、例えば商品の在庫管理に使用されるバーコード読取端末がある。店舗や倉庫等の屋内において、１又は複数の無線通信式バーコード読取（データ入力）端末が使用され、陳列棚や保管棚に載置された商品のバーコードが読み取られる。読み取られたバーコードのデータはアクセスポイント装置（ＡＰ）を介して管理用コンピュータに送信される。
【０００３】
アクセスポイント装置と管理用コンピュータはシリアルインターフェイス又はＬＡＮ（ローカルエリアネットワーク）で有線接続される。アクセスポイント装置と無線通信式データ入力端末は、例えばＩＥＥＥ８０２．１１ｂに準拠した無線通信によって接続される。このようなアクセスポイント装置を介した無線通信によって、無線通信式データ入力端末と管理用コンピュータとの間で双方向のデータ通信が行われる。
【０００４】
店舗や倉庫等の屋内全域における無線通信を可能とするために、通常は複数台のアクセスポイント装置が適切な場所に分散するように配置される（例えば特許文献１参照）。従来、アクセスポイント装置の設置場所を決めるに際して、仮設置したアクセスポイント装置と管理用コンピュータとをシリアルインターフェイス又はＬＡＮで接続し、そのアクセスポイント装置を介して実際に管理用コンピュータと無線通信式データ入力端末との間でデータ転送を行いながら、スループット等を測定し、電波状況を推測していた。
【０００５】
上記のように、従来は、アクセスポイント装置の仮設置による測定結果に基づいて、アクセスポイント装置の適切な設置場所を決めていた。また、スペクトルアナライザーのような高価な電波測定システムを用いて電波状況を測定することもあった。
【０００６】
しかしながら、コスト上の制約から高価な測定システムの導入が困難な場合や必要な測定用機材がそろわない場合がある。また、必要な測定用機材が準備できても、アクセスポイントの仮設置と管理用コンピュータとの仮接続等の作業に手間がかかる問題もあった。
【特許文献１】特開平９−２３７３１０号公報
【発明の開示】
【発明が解決しようとする課題】
【０００７】
本発明は、上記のような従来の問題に鑑み、アクセスポイントの設置場所を決めるための作業を容易かつ低コストで実現することを目的とする。また、そのための付加機能を備えた無線通信式データ入力端末を提供することを目的とする。
【課題を解決するための手段】
【０００８】
本発明による無線通信式データ入力装置は、アクセスポイント装置との間で無線通信式のデータ通信を行うための無線通信部と、処理装置と、複数のキースイッチを含む入力部と、表示部とを備えた無線通信式データ入力装置であって、前記処理装置がプログラムにしたがって実行する処理モードとして、前記アクセスポイント装置の無線通信機能のシミュレーションを行うアクセスポイント模擬モードを備え、該アクセスポイント模擬モードを実行中は、他の無線通信式データ入力装置からの認証要求及び接続要求に応答して当該他の無線通信式データ入力装置との間で無線通信式のデータ通信を実行するように構成されていることを特徴とする。
【０００９】
このようなアクセスポイント模擬モードを備えた無線通信式データ入力装置を実際のアクセスポイント装置の代わりに用いて、他の無線通信式データ入力装置との無線通信を行うことにより、アクセスポイント装置の適切な設置場所を少ない労力で、かつ、低コストで見つけることが可能になる。すなわち、アクセスポイント装置を仮設置してホストコンピュータと接続する手間を省くことができる。また、高価な測定システムを用いることなく、アクセスポイント模擬モードを実行中の無線通信式データ入力装置と他の無線通信式データ入力装置との無線通信の応答時間やスループット等の測定結果から電波状況を評価することが可能になる。
【００１０】
好ましい実施形態において、前記入力部に含まれるキースイッチのうち、あらかじめ定めた１又は複数のキースイッチを押下しながら電源スイッチをオンにしたときに、前記処理装置が前記アクセスポイント模擬モードを実行するように構成されている。あるいは、前記入力部に含まれるキースイッチのうち、あらかじめ定めた１又は複数のキースイッチを押下しながら電源スイッチをオンにしたときに、前記処理装置が前記アクセスポイント模擬モードを含むシステムメニューを前記表示部に表示し、ユーザが前記システムメニューから前記アクセスポイント模擬モードを選択したときに前記アクセスポイント模擬モードを実行するように構成されている。
【００１１】
すなわち、通常モードとは別のいわば隠しモードとして、アクセスポイント模擬モード（又はそれを含むシステムメニュー）を備えさせることにより、無線通信式データ入力装置を通常モードで動作させる場合はアクセスポイント模擬モードがユーザには見えないので、操作を複雑にすることがなく、システムのセキュリティの面でも好ましい。
【００１２】
更に好ましい実施形態において、前記アクセスポイント模擬モードの初期画面において、実際のアクセスポイント装置で使用されるチャンネル番号が設定可能である。これにより、アクセスポイント装置の適切な設置場所を見つけるための作業の柔軟性（自由度）が増す効果が得られる。
【００１３】
また、上記のようなアクセスポイント模擬モードを備えた無線通信式データ入力装置を用いる本発明のアクセスポイント装置の設置場所シミュレーション方法は、実際のアクセスポイント装置を設置する予定の場所に、アクセスポイント模擬モードを実行中の無線通信式データ入力装置を置き、通常モードでレスポンス測定機能を実行中の無線通信式データ入力装置と前記アクセスポイント模擬モードを実行中の無線通信式データ入力装置との無線通信による無線状況の測定を実行し、前記レスポンス測定機能を実行中の無線通信式データ入力装置の表示画面で前記無線状況の測定結果をチェックすることを特徴とする。
【００１４】
上記のようなアクセスポイント装置の設置場所シミュレーション方法にしたがって、アクセスポイント模擬モードを実行中の無線通信式データ入力装置の設置場所を移動しながら無線状況の測定を繰り返すことにより、アクセスポイント装置の適切な設置場所を少ない労力で、かつ、低コストで見つけることが可能になる。すなわち、測定結果を比較し、例えば応答時間が短くスループットが多くなる位置をアクセスポイント装置の適切な設置場所として決めることができる。
【発明を実施するための最良の形態】
【００１５】
以下、図面を参照しながら本発明の実施例について説明する。
【００１６】
図１は、本発明の実施例に係る無線通信式データ入力端末の一種であるバーコードスキャナ付ハンディターミナルを用いたシステムのブロック図である。本システムの基本構成は、１台のホストコンピュータ（管理用コンピュータ）１、複数台のアクセスポイント装置２、及び複数台のハンディターミナル３からなる。ホストコンピュータ１は、イーサネット（登録商標）を用いたＬＡＮ（ローカルエリアネットワーク）４を介して複数のアクセスポイント装置２に接続されている。本システムではアクセスポイント装置２が無線通信の固定局（親局）に相当し、ハンディターミナル３が移動局（子局）に相当する。
【００１７】
ホストコンピュータ１はＣＲＴ（陰極線管）やＬＣＤ（液晶ディスプレイ）のような表示装置１１、キーボードやマウス等の入力装置１２を備え、これらがユーザインターフェイス１３を介して内部バス１４に接続されている。内部バス１４には、ＭＰＵ（マイクロプロセッサ）１５、記憶装置（主メモリ、補助記憶装置を含む）１６、ＬＡＮ制御部１７等も接続されている。このようなホストコンピュータ１として、通常はパーソナルコンピュータが用いられる。また、ＬＡＮ４には通常、１又は複数の他のコンピュータ１’も接続され、相互にデータファイルの交換等を行うことができる。
【００１８】
アクセスポイント装置２は、ＬＡＮ制御部２１を備え、ＬＡＮ４を介してホストコンピュータ１に接続されている。また、無線通信部２２を備え、無線通信によって複数のハンディターミナル３との通信を行う。これにより、各ハンディターミナル３はアクセスポイント装置２を介してホストコンピュータ１とデータ通信を行うことができる。
【００１９】
なお、図１のシステム構成の他に、ホストコンピュータ１とアクセスポイント装置２との接続をシリアル通信（ＵＳＢ等）を用いて行うシステム構成もある。また、無線通信のプロトコルとしてＩＥＥＥ８０２．１１ｂに準拠した無線ＬＡＮの方式を採用し、アクセスポイント装置２として市販されている汎用の装置を使用することが可能である。
【００２０】
ホストコンピュータ１とハンディターミナル３との通信が店舗や倉庫等の所定範囲内で支障無く行われるように、通常は複数のアクセスポイント装置２が設置される。また、無線通信にとって障害物となり得るパーティションや棚、机等の位置を考慮に入れて、適切な場所に分散させて複数のアクセスポイント装置２を設置する。適切な設置場所を決める方法については後述する。
【００２１】
ハンディターミナル３は、アクセスポイント装置２を介してホストコンピュータ１との間で無線通信を行うための無線通信部３１、マイクロプロセッサ（ＭＰＵ、処理装置に相当する）３２、プログラム格納用のメモリであるＲＯＭ３３、データ格納用のメモリであるＲＡＭ３４、及びユーザインターフェイス３５を備え、これらがバス３６で相互に接続されている。ユーザインターフェイス３５には、バーコード入力部（データ入力部）やキー入力部を含む入力部３７と液晶表示器（ＬＣＤ、表示部に相当する）３８が接続されている。
【００２２】
図２に、ハンディターミナル３の外観を示す。ハンディターミナル３はアクセスポイント装置２との無線通信に使用されるアンテナ（図示せず）を内蔵している。ハンディターミナル３の先端側にはバーコードを読み取るためのバーコードスキャナが内蔵され、読み取り光の照射及び反射光の受光のための窓部４０が設けられている。略中央上面にはＬＣＤ３８の表示画面が設けられている。また、ＬＣＤ３８の上側にはハンディターミナル３の動作状態を示すＬＥＤインジケータ４１が設けられている。
【００２３】
ＬＣＤ３８の下側には電源スイッチ４２、ファンクションスイッチ４３等が設けられ、その下にはバーコードスキャナの起動スイッチ（バーコード読取用スイッチ）４５が設けられている。これらのスイッチに加えて、テンキーと種々のファンクションキーを含むキー入力部４４が設けられている。
【００２４】
上記のような構成の無線通信システムにおいて、前述のように、システムが設置され使用される場所（部屋）に応じてアクセスポイント装置２の設置台数及び設置場所を適切に決める必要がある。例えば、部屋の広さや電波障害物の有無等を考慮に入れて、複数のアクセスポイント装置２を適切な場所に分散させて配置し、部屋の全域でハンディターミナル３が障害なく使用できるようにする必要がある。
【００２５】
使用環境によっては、電波障害物となる壁や棚等の影響でハンディターミナル３とアクセスポイント装置２との通信ができなくなるエリアが発生する場合がある。あるいは、通信できてもスループットが極端に悪い場合がある。このような通信障害を回避するために、複数のアクセスポイント装置２を適切な場所に分散させて配置する必要がある。
【００２６】
本発明のハンディターミナル（無線通信式データ入力端末）３を用いたシステムでは、アクセスポイント装置２の適切な設置場所を決める方法として、アクセスポイント装置２を仮設置して無線通信のスループット等から電波状況を評価する代わりに、ハンディターミナル３をその場所に置いて同様の評価を行う。
【００２７】
つまり、ハンディターミナル３にアクセスポイント装置２の無線通信機能のシミュレーションを行うアクセスポイント模擬（以下、ＡＰ模擬と略記する）機能を備えさせ、図３に示すように、アクセスポイント装置２の代わりにＡＰ模擬機能を実行するハンディターミナル（ＡＰ模擬端末という）３’を用いてアクセスポイント装置の設置場所シミュレーションを実行する。なお、図３の模式図では、長方形で囲まれた３台のＡＰ模擬端末３’が設置され、通常機能を実行する４台のハンディターミナル３が最寄りのＡＰ模擬端末３’と無線通信を行う様子が示されている。
【００２８】
こうすることにより、アクセスポイント装置２を仮設置してホストコンピュータ１と接続する手間を省くことができる。また、高価な測定システムを用いることなく容易に無線通信のスループット等から電波状況を評価し、アクセスポイント装置２の適切な設置場所を決めることができる。
【００２９】
図４は、ハンディターミナル（ＨＴ）３とＡＰ模擬端末３’（ＡＰ）との間の通信手順の例を示す通信ダイアグラムである。この通信ダイアグラムから分かるように、ハンディターミナル３の側からプローブ要求（アクセスポイント装置のスキャン）によって通信のための手順が開始される。このプローブ要求を受信したＡＰ模擬端末３’がプローブ応答を返すと、それを受信したハンディターミナル３は認証要求を送信する。以下、同様にしてＡＰ模擬端末３’から送信される認証応答、ハンディターミナル３から送信される接続要求、ＡＰ模擬端末３’から送信される接続応答を経て、ハンディターミナル３とＡＰ模擬端末３’とのデータ通信が可能になる。
【００３０】
ハンディターミナル３が通常モードを実行するか、あるいはＡＰ模擬モードを実行する（ＡＰ模擬端末３’となる）かは、マイクロプロセッサ３２が実行するプログラムによって制御される。通常の操作によってパワーオンを行ったとき、つまり、単に電源スイッチ４２をオンにしたときはマイクロプロセッサ３２が通常モードを実行し、通常のハンディターミナル３として機能する。
【００３１】
これに対して、例えばファンクションスイッチ４３やキー入力部４４の複数のキーのうちのあらかじめ定められた１又は複数のキースイッチを押下しながら電源スイッチ４２をオンにしたときは、マイクロプロセッサ３２がＡＰ模擬モードを含むシステムメニューをＬＣＤ３８に表示させる。このシステムメニューからユーザがＡＰ模擬モードを選択することによって、ＡＰ模擬モードが起動し、ＡＰ模擬端末３’として機能するようになる。
【００３２】
なお、システムメニューの図示は省略するが、ＡＰ模擬モードを含む複数のモードがＬＣＤ３８に選択可能に表示され、ユーザがテンキー等を用いてＡＰ模擬モード又は他の任意のモードを択一的に選択できるようになっておればよい。ＡＰ模擬モードの他にシステムメニューで選択して実行させるモードが無い場合は、システムメニューの表示を経ないで、１又は複数のキースイッチを押下しながら電源スイッチ４２をオンにしたときにＡＰ模擬モードが直接起動するようにしてもい。
【００３３】
図５は、ハンディターミナル３のマイクロプロセッサ３２が実行する通常モードにおける処理の例を示すフローチャートである。ステップ＃１０１で無線通信部３１が起動され、ステップ＃１０２でアクセスポイント装置２（ここではＡＰ模擬端末３’であり、以下、アクセスポイントと略記することがある）のスキャンが開始される。
【００３４】
ステップ＃１０３でアクセスポイントの検出完了と判断されると、次のステップ＃１０４でアクセスポイントの認証要求を行う。続くステップ＃１０５でアクセスポイントの認証完了と判断されると、ステップ＃１０６でアクセスポイントへの接続要求を行う。ステップ＃１０７で接続完了と判断されると、アクセスポイントとのデータ通信が可能となり、ステップ＃１０８でデータの送受信を実行する。
【００３５】
図６は、ハンディターミナル３（ＡＰ模擬端末３’）のマイクロプロセッサ３２が実行するＡＰ模擬モードにおける処理の例を示すフローチャートである。ステップ＃２０１で無線通信部３１が起動され、ステップ＃２０２で通常モードのハンディターミナル３からのスキャン待ちを実行する。
【００３６】
ハンディターミナル３からのスキャンが検出されると（ステップ＃２０３のＹｅｓ）、ステップ＃２０４でスキャン応答を行い、続くステップ＃２０５でハンディターミナル３からの認証待ちを実行する。ステップ＃２０６で認証検出が判断されると、ステップ＃２０７で認証応答を実行し、続くステップ＃２０８でハンディターミナル３からの接続待ちを実行する。
【００３７】
ステップ＃２０９で接続検出が判断されると、ステップ＃２１０で接続応答を行い、この後にハンディターミナル３とのデータ通信が可能となり、ステップ＃２１１でデータの送受信を実行する。
【００３８】
図７は、ＡＰ模擬モード及びレスポンス測定機能におけるハンディターミナル３のＬＣＤ３８による表示例を示す図である。（ａ）はＡＰ模擬モードで起動したときの表示例であり、（ｂ）は通常モードでレスポンス測定機能を選択したときの表示例である。
【００３９】
図７（ａ）の左側に示すように、前述の操作によってハンディターミナル３をＡＰ模擬モードで起動すると、チャンネル番号の入力がユーザに求められる。ユーザは、実際のアクセスポイント装置２で使用されるＩＥＥＥ８０２．１１ｂのチャンネル番号（図示の例では「１４」）を入力する。そして、ＥＮＴキーを押下すれば図７（ａ）の右側に示す表示例に移行し、ＡＰ模擬モードの動作状態になる。
【００４０】
なお、図７（ａ）の右側の表示例において、「ＳＥＲ：」は、ハンディターミナル３の装置番号であり、「ＭＡＣ：」はイーサネット（登録商標）のＭＡＣアドレスである。また、ＩＥＥＥ８０２．１１ｂのチャンネル番号を示す「ＣＨ：」の表示が「００」から入力された「１４」に変化し、文字列「動作中」が表示されている。
【００４１】
上記のようにしてＡＰ模擬モードの動作状態となったハンディターミナル３（ＡＰ模擬端末３’）は、図３に示したように、実際のアクセスポイント装置２を設置する予定の場所におき、アクセスポイント装置２の適切な設置場所を決めるためのシミュレーションに用いられる。つまり、通常モードで起動したハンディターミナル３とＡＰ模擬端末３’との間でデータ通信を行い、無線状況の測定を行う。
【００４２】
この際、通常モードで起動したハンディターミナル３では、図７（ｂ）の表示例に示すように、レスポンス測定機能を選択して動作させる。図７（ｂ）の左側の表示（レスポンス測定起動画面）において、Ｒキーを押下することによってレスポンス測定が始まり、測定が完了すると図７（ｂ）の右側に示すように、測定結果画面が表示される。
【００４３】
この測定結果画面の表示例において、「ＳＥＲ：」及び「ＭＡＣ：」の意味については、図７（ａ）のＡＰ模擬モードの表示で説明したとおりである。「ＡＰ：」は、ハンディターミナル３で検出された（通信可能な）アクセスポイント（ＡＰ模擬端末３’）の数（図示の例では３個）を示している。ハンディターミナル３は、検出された複数のアクセスポイントの中から電界強度が最も高いものを選択して前述の認証及び接続の手続を実行する。図示の表示例ではＣＨ１４のアクセスポイント（ＡＰ模擬端末３’）が選択されたことを示している。また、「ＬＯＣ：」は、場所のカウンタを示している。アクセスポイント（ＡＰ模擬端末３’）の位置を変えながら測定を繰り返して最適の設置場所を見つける場合に、このカウンタが測定のたびにインクリメントされる。
【００４４】
「ＳＩＧＮＡＬ：」は、測定結果のうち信号レベル（信号の電界強度）を示している。例えば０〜５の６段階の数値で表示される。「ＮＯＩＳＥ：」は、測定結果のうちノイズレベル（ノイズの電界強度）を示している。ノイズレベルも例えば０〜５の６段階の数値で表示される。図示の例では、信号レベルが５であり、ノイズレベルが３である。「ＲｅｓｐｏｎｓｅＴｉｍｅ」は、ハンディターミナル３からあるコマンドを送信し、それに対する応答がアクセスポイント（ＡＰ模擬端末３’）から返ってくるまでの応答時間を示している。「Ｔｈｒｏｕｇｈｐｕｔ」は、単位時間当たり通信できたデータ量（スループット）を示し、応答時間の逆数を平均したものに相当する。
【００４５】
上記のような、ハンディターミナル３とＡＰ模擬端末３’との間で実行する測定を繰り返すことにより、アクセスポイント装置２の適切な設置場所をみつけることができる。つまり、測定結果を比較することにより、特に応答時間が短くスループットが多くなる位置がアクセスポイント装置２の適切な設置場所ということになる。
【００４６】
なお、前述のように、電波状況測定用のハンディターミナル３は検出された複数のＡＰ模擬端末３’の中から電界強度が最も高いものを選択する際に、それぞれのＡＰ模擬端末３’を識別する必要がある。ＡＰ模擬端末３’として起動するハンディターミナル３は、固有の情報であるＭＡＣアドレスから生成された識別子をＩＥＥＥ８０２．１１ｂのＥＳＳＩＤ（混信を避けるためのネットワーク識別子）に設定する。こうすることにより、ユーザの設定の手間を省きながら、電波状況測定用のハンディターミナル３がそれぞれのＡＰ模擬端末３’を識別することができる。
【００４７】
以上、本発明の実施例として、バーコードスキャナ付ハンディターミナルを用いたシステムについて説明したが、本発明はこの実施例に限らず、バーコードスキャナ付ハンディターミナル以外の無線通信式データ入力端末を用いたシステムにも適用することができる。
【図面の簡単な説明】
【００４８】
【図１】本発明の実施例に係る無線通信式データ入力端末の一種であるバーコードスキャナ付ハンディターミナルを用いたシステムのブロック図である。
【図２】ハンディターミナルの外観を示す図である。
【図３】アクセスポイント模擬端末として機能する複数のハンディターミナルと通常モードで機能する複数のハンディターミナルとが無線通信を行う様子を示す模式図である。
【図４】ハンディターミナルとアクセスポイント模擬端末との間の通信手順の例を示す通信ダイアグラムである。
【図５】ハンディターミナルのマイクロプロセッサが実行する通常モードにおける処理の例を示すフローチャートである。
【図６】ハンディターミナルのマイクロプロセッサが実行するアクセスポイント模擬モードにおける処理の例を示すフローチャートである。
【図７】アクセスポイント模擬モード及びレスポンス測定機能におけるハンディターミナルのＬＣＤによる表示例を示す図である。
【符号の説明】
【００４９】
１  ホストコンピュータ
２  アクセスポイント装置
３  ハンディターミナル（無線通信式データ入力装置）
３’  アクセスポイント模擬端末（アクセスポイント模擬モードを実行中の無線通信式データ入力装置）
３１  無線通信部
３２  マイクロプロセッサ（処理装置）
３８  ＬＣＤ（表示部）
４２  電源スイッチ
【図１】
2005050232.tif 000003
【図２】
2005050232.tif 000004
【図３】
2005050232.tif 000005
【図４】
2005050232.tif 000006
【図５】
2005050232.tif 000007
【図６】
2005050232.tif 000008
【図７】
2005050232.tif 000009